(57)【要約】【課題】  皮膚呼吸を促進したり、肺呼吸を促進したり、肺呼吸を促進する。ジェットバス装置を運転しない時で満水時に空気取り込み口から高酸素濃度の空気が混入して泡立った浴水が溢れない。【解決手段】  高酸素濃度の空気を発生させるための酸素富化装置５に３つの供給路６ａ、６ｂ、６ｃを接続する。３つの供給路６ａ、６ｂ、６ｃの１つをジェットバス装置２における空気取り込み口４又は該空気取り込み口４からの空気取り込み経路７に連通させる。、他の供給路６ｂをバルブ８を介してジェットバス装置２における空気取り込み口４よりも上方位置に設けた富化酸素供給口１０に連通させる。残りの供給路６ｃを微細気泡発生装置３の空気取り入れ部１１に連通させる。ジェットバス装置２の運転時にバルブ８を閉じ且つ微細気泡発生装置３の運転時にバルブ８を開く。【選択図】        図１
2005319002.tif 000002
【特許請求の範囲】
【請求項１】
浴槽内から吸い込んだ浴水に空気を巻き込んだ気泡入りの浴水を浴槽内に噴出するジェットバス装置と、浴槽内から吸い込んだ浴水に空気を溶解させると共に空気を溶解させた浴水を浴槽内に吐出して微細気泡を発生させる微細気泡発生装置を設け、上記ジェットバス装置と微細気泡発生装置とを選択的に運転するようにした浴槽において、ジェットバス装置の空気取り込み口を浴槽の上端面部に設け、高酸素濃度の空気を発生させるための酸素富化装置に発生させた高酸素濃度の空気を供給するための３つの供給路を接続し、３つの供給路の１つをジェットバス装置における空気取り込み口又は該空気取り込み口からの空気取り込み経路に連通させ、他の１つの供給路をバルブを介してジェットバス装置における空気取り込み口よりも上方位置において浴室内に開口する富化酸素供給口に連通させ、残りの１つの供給路を微細気泡発生装置の空気取り入れ部に連通させ、ジェットバス装置の運転時にバルブを閉じ且つ微細気泡発生装置の運転時にバルブを開くことを特徴とする気泡発生浴槽。
【発明の詳細な説明】
【技術分野】
【０００１】
本発明は、ジェットバス装置と微細気泡発生装置とを設けた気泡発生浴槽に関するものである。
【背景技術】
【０００２】
近年、浴槽に微細気泡発生装置を単独で設け、浴槽内から吸い込んだ浴水に空気を溶解させると共に空気を溶解した浴水を浴槽内に吐出して浴槽内で微細気泡を発生させるようにした気泡発生浴槽が提供されている。（例えば、特許文献１参照）
また、浴槽にジェットバス装置を単独で設け、浴槽内から吸い込んだ浴水に空気を巻き込んだ気泡入りの浴水を浴槽内に噴出するようにしたジェットバス装置を備えた浴槽も従来から知られている。（例えば、特許文献２参照）
【特許文献１】特開２００２−３３０８８５号公報
【特許文献２】特開２００３−６１８４８号公報
【発明の開示】
【発明が解決しようとする課題】
【０００３】
ところが、いずれの従来例においても、大気中の空気を気泡として浴水中に噴出したり、あるいは、浴槽内で微細気泡として発生させたりして入浴するため、温熱効果が得られるが、単に大気中の空気（酸素濃度２１％）が気泡となって供給されるだけのため、さほどに快適度や心肺機能の負担軽減になるものではなかった。
【０００４】
本発明は上記の従来の問題点に鑑みて発明したものであって、浴槽内に入っている入浴者に対して浴槽内において高酸素濃度の空気を供給して浴槽内の浴水内に浸かっている身体の部位の皮膚呼吸を促進し、更に、浴室内の空間にも高酸素濃度の空気を供給し、浴槽に浸かっている時や洗い場で洗っている際の心肺機能の負担を軽減し、快適な入浴ができ、しかも、微細気泡発生装置とジェットバス装置とを備えたものにおいて、合理的な配管構成で微細気泡発生装置により高酸素濃度の空気の微細気泡、ジェットバス装置により高酸素濃度の空気の気泡を浴槽内に発生させることができると共に、浴室内に高酸素濃度の空気を供給でき、更に、ジェットバス装置を運転しない時にジェットバス装置の空気取り込み口から高酸素濃度の空気が流れ出して浴槽の満水時に高酸素濃度の空気が混入して泡立った浴水が溢れつづけて見苦しくなるというような現象が生じないようにできる気泡発生浴槽を提供することを課題とするものである。
【課題を解決するための手段】
【０００５】
上記課題を解決するために本発明に係る気泡発生浴槽は、浴槽１内から吸い込んだ浴水に空気を巻き込んだ気泡入りの浴水を浴槽１内に噴出するジェットバス装置２と、浴槽１内から吸い込んだ浴水に空気を溶解させると共に空気を溶解させた浴水を浴槽１内に吐出して微細気泡を発生させる微細気泡発生装置３を設け、上記ジェットバス装置２と微細気泡発生装置３とを選択的に運転するようにした浴槽１において、ジェットバス装置２の空気取り込み口４を浴槽１の上端面部に設け、高酸素濃度の空気を発生させるための酸素富化装置５に発生させた高酸素濃度の空気を供給するための３つの供給路６ａ、６ｂ、６ｃを接続し、３つの供給路６ａ、６ｂ、６ｃの１つをジェットバス装置２における空気取り込み口４又は該空気取り込み口４からの空気取り込み経路７に連通させ、他の１つの供給路６ｂをバルブ８を介してジェットバス装置２における空気取り込み口４よりも上方位置において浴室９内に開口する富化酸素供給口１０に連通させ、残りの１つの供給路６ｃを微細気泡発生装置３の空気取り入れ部１１に連通させ、ジェットバス装置２の運転時にバルブ８を閉じ且つ微細気泡発生装置３の運転時にバルブ８を開くことを特徴とするものである。
【０００６】
このような構成とすることで、共通の浴槽１でジェットバス装置２を運転して浴槽１内から吸い込んだ浴水に空気を巻き込んだ気泡入りの浴水を浴槽１内に噴出したり、あるいは、微細気泡発生装置３を運転して浴槽１内から吸い込んだ浴水に空気を巻き込んだ気泡入りの浴水を加圧し減圧して浴槽１内に微細気泡を発生させたりすることができるのはもちろんのこと、微細気泡発生装置３を運転して浴槽１内に微細気泡を発生させる際に、酸素富化装置５で発生させた高酸素濃度の空気（富化酸素）を微細気泡として発生させることができ、入浴中に浴水中に浸かった身体の部位が皮膚呼吸ができるようになって入浴の快適度を上げると共に入浴中における心肺機能の負担を軽減でき、更に、疲労回復ができるように浴水中に浸かりながら皮膚の活性化ができるものであり、しかも、この場合、バルブ８が開いて富化酸素供給口１０から浴室９内に高濃度の酸素を供給するので、浴室９内の空間の酸素濃度が高くなり、入浴中に浴水より上に出ている鼻や口から直接酸素濃度の高い空気を吸ったり、あるいは、洗い場で身体を洗っているときにも鼻や口から直接酸素濃度の高い空気を吸うことができて肺呼吸を楽にできて、快適に入浴や洗い操作ができる。また、ジェットバス装置２を運転して気泡を混入して浴槽１内に噴出する際に、酸素富化装置５で発生させた高酸素濃度の空気を空気取り込み口４から取り込んだ空気と混ぜて気泡として浴槽１内に供給できるので、比較的大きい気泡が水面まで上昇して入浴者の顔の近くで酸素濃度の高い空気として空気中に放出されることになって、入浴中に鼻や口の近くに効果的に酸素濃度の高い空気を供給して肺呼吸が楽になるものである。
【０００７】
しかも、上記のようなジェットバス装置２の運転中は、微細気泡発生装置３は運転していないので微細気泡発生装置３に酸素濃度の高い空気を供給する供給路６ｃは封水状態となっていると共に、バルブ８を閉じるので富化酸素供給口１０に酸素濃度の高い空気を供給する供給路６ｂは閉じられて、ジェットバス装置２側に酸素濃度の高い空気を供給する供給路６ａにのみ酸素濃度の高い空気が供給されて浴槽１の上面部に設けた空気取り込み口４から取り入れる空気と混合して気泡として浴槽１内に供給されるものであり、また、微細気泡発生装置３の運転中にはジェットバス装置２は運転していないのでジェットバス装置２に高酸素濃度の空気を供給する供給路６ａは封水状態となっていると共に、ジェットバス装置２の空気取り込み口４よりも上方に位置する富化酸素供給口１０から浴室９内に高酸素濃度の空気が供給されるものであり、したがって、共通の酸素富化装置５から簡単な配管構成でジェットバス装置２、微細気泡発生装置３、浴室９内空間に高酸素濃度の空気を供給することができると共に、浴槽１内の浴水が満水となっても、微細気泡発生装置３の運転時にジェットバス装置２の空気取り込み口４より高酸素濃度の空気が水と共に泡立つように溢れ出たり、異音を発生したりしない。
【発明の効果】
【０００８】
本発明は、上記のように、合理的な配管構成で、酸素富化装置から高酸素濃度の空気を微細気泡発生装置に供給することにより、高酸素濃度の空気を溶解させて微細気泡を発生させ、入浴中に身体の浴水中に浸かった部位における皮膚呼吸を促進し、入浴の快適度を上げると共に心肺機能の負担を軽減でき、更に、疲労回復できると共に皮膚の活性化が図れ、しかも、微細気泡発生装置の運転時には更に、バルブが開いて富化酸素供給口から浴室内に高酸素濃度の空気が供給されるので、浴室内の空間の酸素濃度が高くなり、入浴中に浴水より上に出ている鼻や口から直接酸素濃度の高い空気を吸ったり、あるいは、洗い場で身体を洗っているときにも鼻や口から直接酸素濃度の高い空気を吸うことができて肺呼吸を楽にできて、よりいっそう快適に入浴や身体を洗うことができる。また、ジェットバス装置を運転して気泡を混入して浴槽内に噴出する際に、高酸素濃度の空気を空気取り込み口から取り込んだ空気と混ぜて気泡として浴槽内に供給でき、比較的大きい気泡が水面まで上昇して入浴者の顔の近くで効果的に酸素濃度の高い空気が放出され、入浴中に鼻や口の近くに酸素濃度の高い空気を供給して肺呼吸を楽にして快適に入浴できるものである。しかも、共通の酸素富化装置から簡単な配管構成でジェットバス装置、微細気泡発生装置、浴室内空間に高酸素濃度の空気を供給することができると共に、浴槽内の浴水が満水となっても、微細気泡発生装置の運転時にジェットバス装置の空気取り込み口より高酸素濃度の空気が水と共に泡立つように溢れ出たり、異音を発生したりせず、入浴者に不快感を生じさせず、また、故障ではないかという心配を入浴者に与えず、快適な入浴ができる。
【発明を実施するための最良の形態】
【０００９】
以下、本発明を添付図面に示す実施形態に基いて説明する。
【００１０】
ユニットバスルームのような浴室９内の底部の防水床パンのような床１２には浴槽１が設置してあり、この浴槽１には、浴槽１内から吸い込んだ浴水に空気を巻き込んだ気泡入りの浴水を浴槽１内に噴出するジェットバス装置２と、浴槽１内から吸い込んだ浴水に空気を巻き込んだ気泡入りの浴水を加圧し減圧して浴槽１内に微細気泡を発生させる微細気泡発生装置３とが設けてある。
【００１１】
微細気泡発生装置３は、吸入口１３と、吐出口１４と、循環管路１５と、空気取り入れ部１１を構成するエジェクター１６と、循環ポンプ１７と、溶解タンク１８とで主体が構成してある。吸入口１３は浴槽１の下部又は底部に設けてあり、浴槽１内の浴水を吸入するようになっている。また、吐出口１４は浴槽１の下部又は底部に設けてあり、浴槽１内に微細気泡を含んだ浴水を吐出するようになっている。この吸入口１３と吐出口１４とは浴槽１外に配管した循環管路１５により連通させてあり、循環管路１５の途中には循環ポンプ１７を配置してあり、循環ポンプ１７を駆動することにより浴水を吸入口１３から吸入して吐出口１４から吐出させるようになっている。また、循環管路１５には吸入口１３と循環ポンプ１７との間に位置するようにエジェクター１６が設けてあり、循環ポンプ１７の駆動により浴水がエジェクター１６を通るとき空気を吸入して浴水に空気を混入するようになっている。循環ポンプ１７と吐出口１４との間で循環管路１５には溶解タンク１８を配置してあり、エジェクター１６で混入した空気を浴水に溶解させるようになっている。この溶解タンク１８内では蛇行した経路に浴水を通過させるなどして浴水に空気を溶解させるようになっており、吐出口１４は空気が溶解した浴水を減圧して吐出させることで、溶解した空気が微細気泡となり、微細気泡を含んだ浴水を吐出させるようになっていおり、浴水が所謂ミルキー状になって入浴することができるようになっている。
【００１２】
ジェットバス装置２は、吸い込み口２０と、噴出口２１と、循環管路２２と、ジェットポンプ２３と、空気取り込み口４とで主体が構成してある。浴槽１の側壁又は底部に吸い込み口２０を設けてあり、この吸い込み口２０から浴槽１内の浴水を吸い込むようになっている。また、浴槽１の側壁又は底部に噴出口２１を設けてあり、この噴出口２１から比較的大きい気泡を含んだ浴水を浴槽１内に噴出するようになっている。吸い込み口２０と噴出口２１とは循環管路２２により連通させてあり、循環管路２２の途中にはジェットポンプ２３を配置してあり、ジェットポンプ２３を駆動することで吸い込み口２０から吸い込んだ浴水を噴出口２１から強く噴出するようになっている。浴槽１の上端面部にはフランジ２４が設けてあり、このフランジ２４には空気取り込み口４が設けてあり、この空気取り込み口４と噴出口２１とを空気取り込み経路７である管により連通させてある。ここで、噴出口２１にはエジェクター部を設けてあり、噴出口２１から浴水を噴出することで空気取り込み口４から取り込んだ空気をエジェクター作用により浴水に巻き込み、比較的大きな気泡を含んだ浴水を浴槽１内に噴出するようになっている。
【００１３】
本発明においては上記ジェットバス装置２、微細気泡発生装置３、浴室９内に高酸素濃度の空気（富化酸素）を供給するための酸素富化装置５を設けてある。
【００１４】
酸素富化装置５は実施形態においては浴室９の天井２６の上に設置してある。この酸素富化装置５は酸素富化膜と真空ポンプとで主体が構成してあり、真空ポンプで大気中の空気を取り入れて酸素富化膜に空気を通すことで酸素が富化された空気である高酸素濃度の空気（つまり富化酸素）を得ることができるようになっている。空気を酸素富化膜に通すとき、酸素と窒素とは減速するが、酸素は窒素の約２．５倍の速度で通過する。これにより通常の大気中の空気は窒素が７８％、酸素が２１％であったのが、酸素富化膜によって窒素が６９％、酸素が３０％の空気となり、高酸素濃度の空気が得られる。
【００１５】
この高酸素濃度の空気を発生させるための酸素富化装置５には発生させた高酸素濃度の空気を供給するための供給部２５が設けてあり、この酸素富化装置５の供給部２５に３つの供給路６ａ、６ｂ、６ｃの各端部が連通接続してある。３つの供給路６ａ、６ｂ、６ｃのうちの１つの供給路６ａが添付図面に示すようにジェットバス装置２における空気取り込み口４又は該空気取り込み口４からの空気取り込み経路７に連通させてある。また、他の１つの供給路６ｂがバルブ８を介してジェットバス装置２における空気取り込み口４よりも上方位置において浴室９内に開口する富化酸素供給口１０に連通させてある。更に、残りの１つの供給路６ｃが微細気泡発生装置３の空気取り入れ部１１を構成するエジェクター１６に連通させてある。
【００１６】
ここで、富化酸素供給口１０から供給される高酸素濃度の空気を浴室９内の空間に供給するための富化酸素供給口１０は上記のように浴槽１の上面部（フランジ２４）に設けたジェットバス装置２における空気取り込み口４よりも上方において浴槽１内に開口するように設けてあるが、この場合、図１の実施形態のように天井２６に富化酸素供給口１０を設けて浴室９内に高酸素濃度の空気を供給するようにしてもよく、あるいは、図２の実施形態のように浴室９の壁２７に富化酸素供給口１０を設けて浴室９内に高酸素濃度の空気を供給するようにしてもよい。
【００１７】
ジェットバス装置２、微細気泡発生装置３、酸素富化装置５、バルブ８は制御部１９からの制御信号により制御されるようになっており、ジェットバス装置２の運転を操作する操作スイッチ２８を操作することで、ジェットバス装置２を運転し（この場合、微細気泡発生装置３は運転されない）、また、微細気泡発生装置３の運転を操作する操作スイッチ２９を操作することで、微細気泡発生装置３を運転する（この場合、ジェットバス装置２は運転されない）ようになっている。つまり、操作スイッチ２８、２９のいずれかを選択的に操作することで、ジェットバス装置２と微細気泡発生装置３とを選択的に運転するようになっている。そして、微細気泡発生装置３を運転するとき、ジェットバス装置２を運転するときのいずれの場合も、酸素富化装置５を同時に運転し、また、ジェットバス装置２の運転時にバルブ８を閉じ且つ微細気泡発生装置３の運転時にバルブ８を開くように制御されるようになっている。
【００１８】
したがって、微細気泡発生装置３を運転する時は、酸素富化装置５で発生させた高酸素濃度の空気が供給路６ｃから微細気泡発生装置３に供給されると共にバルブ８が開となって富化酸素供給口１０から浴室９内に供給される。この場合、ジェットバス装置２は運転していないので、浴槽１内の湯水が循環管路２２から空気取り込み経路７に浴水が入り込み、浴槽１内における浴水の水位が供給路６ａの空気取り込み口４又は空気取り込み経路７との連通部分よりも低い場合には供給路６ａを通って空気取り込み口４から浴室９内に高酸素濃度の空気が供給されるが、浴槽１内における浴水の水位が供給路６ａの空気取り込み口４又は該空気取り込み口４との連通部分よりも高い場合には供給路６ａが封水状態となり、空気取り込み口４から空気が浴室９内に供給されない。
【００１９】
また、ジェットバス装置２を運転する時は、酸素富化装置５で発生させた高酸素濃度の空気が供給路６ａからジェットバス装置２に供給される。この場合、バルブ８は閉じているので高酸素濃度の空気が供給路６ｂ側には供給されず、富化酸素供給口１０から浴室９内に供給されない。また、微細気泡発生装置３は運転していないので、浴槽１内の湯水が循環管路１５から供給路６ｃに浴水が入り込み、供給路６ｃが封水状態となり、供給路６ａからのみジェットバス装置２に高酸素濃度の空気が供給される。
【００２０】
しかして、操作スイッチ２９を操作すると微細気泡発生装置３が運転されると共に酸素富化装置５が運転され、吸入口１３から浴槽１内の浴水が吸い込まれ、この浴水がエジェクター１６を通過することで、高酸素濃度の空気が供給路６ｃから浴水に混入され、この高酸素濃度の空気が混入された浴水が溶解タンク１８に送られることで浴水に高酸素濃度の空気が溶解し、高酸素濃度の空気が溶解した浴水が吐出口１４から減圧して吐出させられることにより、高酸素濃度の微細気泡を含んだ浴水がミルキー状となって吐出される。これにより入浴者の浴槽１の浴水内に浸かっている部位が高酸素濃度の微細気泡に包まれた状態となって温熱効果が得られ、また、高酸素濃度の空気の微細気泡で包まれるため入浴者の皮膚呼吸を促進でき、これにより、入浴者の快適度を上昇させると共に、心肺機能の負担を軽減でき、また、疲労回復（筋肉中の乳酸が酸素により分解される作用が促進される）されると共に皮膚の活性化がなされる。
【００２１】
ここで、酸素富化装置５から供給される高酸素濃度の空気の流量は微細気泡発生装置３で使用される流量よりも多く、余剰の高酸素濃度の空気はバルブ８が開いているため、供給路６ｂを経て富化酸素供給口１０から浴室９内に供給されることになる。これにより浴室９内の空気の酸素濃度が上がり、肺呼吸を楽にすることができる。ここで、浴槽１内における浴水の水位が供給路６ａの空気取り込み口４又は空気取り込み経路７との連通部分よりも低い場合には供給路６ａを通って空気取り込み口４からも浴室９内に高酸素濃度の空気が供給され、この場合は、浴槽１の上面部のフランジ２４部分に設けた空気取り込み口４から浴槽１内に入って入浴中の入浴者の顔の近くに直接高濃度酸素の空気が供給されることになって、より効果的に肺呼吸を楽にすることができる。この時、空気取り込み口４からは高酸素濃度の空気のみが浴室９内に供給され、浴槽１内の湯水が空気取り込み口４から溢れ出ることがなく、したがって、高酸素濃度の空気と共に浴槽１内の湯水が空気取り込み口４から泡立つようにして噴き出すと共に異音が発生するというような恐れがない。一方、浴槽１内における浴水の水位が供給路６ａの空気取り込み口４又は空気取り込み経路７との連通部分よりも高い場合には供給路６ａが封水状態となるので、空気取り込み口４から空気が出ることはない。したがって、浴槽１が満水状態となった場合に、フランジ２４に設けた空気取り込み口４から空気が浴水と共に泡立つように溢れ出たり、異音を発生したりせず、入浴者に不快感を与えることなく、特に、空気取り込み口４から空気が浴水と共に泡立つように溢れ出ると、入浴者は故障したのではないかと不安になるが、このような不安を感じることなく快適に入浴ができるものである。ちなみに、酸素富化装置５から２リットル／ｍｉｎの高酸素濃度の空気が供給され、０．５リットル／ｍｉｎの高酸素濃度が微細気泡発生装置３に供給され、１．５リットル／ｍｉｎの高酸素濃度の空気が浴室９内に供給され、この場合、浴槽１内における浴水の水位が供給路６ａの空気取り込み口４又は空気取り込み経路７との連通部分よりも高い場合に富化酸素供給口１０から１．５リットル／ｍｉｎの高酸素濃度の空気が浴室９内に供給され、浴槽１内における浴水の水位が供給路６ａの空気取り込み口４又は空気取り込み経路７との連通部分よりも低い場合に富化酸素供給口１０と空気取り込み口４の両方で合計１．５リットル／ｍｉｎの高酸素濃度の空気が浴室９内に供給される。
【００２２】
一方、操作スイッチ２８を操作するとジェットバス装置２が運転されると共に酸素富化装置５が運転され、浴槽１内の浴水が吸い込み口２０から吸い込まれ、ジェットポンプ２３を介して噴出口２１から浴水が噴出されるが、噴出口２１から浴水が噴出されるとき空気取り込み口４から空気を取り込んで噴出口２１に設けたエジェクター部に供給すると共に、酸素富化装置５で生成された高酸素濃度の空気が供給路６ａから空気取り込み口４又は該空気取り込み口４からの空気取り込み経路７を介して噴出口２１に設けたエジェクター部に供給して、上記空気と高酸素濃度の空気とが混合されて浴水内に巻き込まれ、噴出口２１から比較的大きな気泡を巻き込んだ浴水が噴出されて入浴者のマッサージができる。浴槽１内に噴出された高濃度酸素の気泡は、高酸素濃度の空気が入浴中の入浴者の顔面付近に漂い、肺呼吸を楽にして快適に入浴することができる。また、入浴者の顔面付近に漂った高酸素濃度の空気は次第に浴室９内に拡散して浴室９内の酸素濃度を高める。このため、洗い場で洗い操作をしている時も酸素濃度の高い空気中で洗い操作をすることになり、肺呼吸を楽にすることができる。
【００２３】
このジェットバス装置２運転中には、微細気泡発生装置３は運転していないので微細気泡発生装置３に酸素濃度の高い空気を供給する供給路６ｃは封水状態となっていると共に、バルブ８を閉じるので富化酸素供給口１０に酸素濃度の高い空気を供給する供給路６ｃは閉じられるので、ジェットバス装置２側に酸素濃度の高い空気を供給する供給路６ａにのみ酸素濃度の高い空気が供給されて浴槽１の上面部に設けた空気取り込み口４から取り入れる空気と混合して気泡として浴槽１内に供給される。ちなみに、酸素富化装置５から２リットル／ｍｉｎの高酸素濃度の空気が供給される場合、２リットル／ｍｉｎの高酸素濃度がすべてジェットバス装置２に供給され、上記のように、高濃度酸素の気泡は、高酸素濃度の空気の気泡として浴槽１内に噴出されて入浴者の顔面付近に漂い、更に、次第に浴室９内に拡散して浴室９内の酸素濃度を高める。
【図面の簡単な説明】
【００２４】
【図１】本発明の概略構成図である。
【図２】本発明の他の実施形態の概略構成図である。
【符号の説明】
【００２５】
１  浴槽
２  ジェットバス装置
３  微細気泡発生装置
４  空気取り込み口
５  酸素富化装置
６ａ  供給路
６ｂ  供給路
６ｃ  供給路
７  空気取り込み経路
８  バルブ
９  浴室
１０  富化酸素供給口
１１  空気取り入れ部
【図１】
2005319002.tif 000003
【図２】
2005319002.tif 000004